(57)【要約】【課題】  プリンタを商品販売データ処理装置に短時間で容易に取り付けることができるようにし、また、プリンタの着脱の繰り返しに適している商品販売データ処理装置を提供する。【解決手段】  ＰＯＳ端末上のプリンタの取付面となる取付板３０２とプリンタの底板３２１とは板金で形成され、この取付板３０２と底板３２１とのうち、前者には先端部がすべて水平方向の一方向を向いている鉤状の引掛部３１１が複数形成され、後者には引掛部３１１とそれぞれ係合する複数の孔３２２が形成されている。取付板３０２のプリンタベース板３１４には凸部が形成され、底板３２１には各引掛部３１１と孔３２２とが係合しているときに凸部と係合する孔が形成されている。【選択図】    図１３
2006155316.tif 000002
【特許請求の範囲】
【請求項１】
プリンタを備えている一体型の商品販売データ処理装置において、
本装置本体部上の前記プリンタの取付面と前記プリンタの底板とは板金で形成され、この取付面と底板とのうち、一方には先端部がすべて水平方向の一方向を向いている鉤状の引掛部が複数形成され、他方には前記引掛部とそれぞれ係合する複数の第１の孔が形成されていることを特徴とする商品販売データ処理装置。
【請求項２】
本装置本体部上の前記プリンタの取付面と前記プリンタの底板とのうち、一方には他方に向かって延出している凸部が形成され、他方には前記各引掛部と前記各第１の孔とが係合しているときに前記凸部と係合する第２の孔が形成されていることを特徴とする請求項１に記載の商品販売データ処理装置。
【発明の詳細な説明】
【技術分野】
【０００１】
本発明は、ＰＯＳ端末等の商品販売データ処理装置に関する。
【背景技術】
【０００２】
ＰＯＳ端末においては、本体筐体上にレシートに印字するプリンタユニットが取り付けられて用いられる。従来、ＰＯＳ端末へのプリンタユニットの取り付けは、ネジ等を用いて固定するか、あるいは、モールド部品同士を嵌め合わせて行なっていた。
【０００３】
【特許文献１】特開２００３−１３６７９９公報
【発明の開示】
【発明が解決しようとする課題】
【０００４】
しかしながら、従来のようにプリンタユニットにネジを用いて固定する技術では、プリンタユニットの交換に手間がかかるという不具合がある。
【０００５】
また、従来のモールド部品同士を嵌め合わせる技術では、プリンタユニットの着脱を繰返すことにより部品が削れてしまい、着脱の繰返しに適していないという不具合がある。
【０００６】
そこで、本発明の目的は、プリンタを商品販売データ処理装置に短時間で容易に取り付けることができるようにすることである。
【０００７】
本発明の別の目的は、プリンタの着脱の繰り返しに適している商品販売データ処理装置を提供することである。
【課題を解決するための手段】
【０００８】
本発明は、プリンタを備えている一体型の商品販売データ処理装置において、本装置本体部上の前記プリンタの取付面と前記プリンタの底板とは板金で形成され、この取付面と底板とのうち、一方には先端部がすべて水平方向の一方向を向いている鉤状の引掛部が複数形成され、他方には前記引掛部とそれぞれ係合する複数の第１の孔が形成されていることを特徴とする商品販売データ処理装置である。
【発明の効果】
【０００９】
本発明によれば、引掛部と第１の孔とを係合させるだけで、プリンタを商品販売データ処理装置に短時間で容易に取り付けることができる。また、底板も取付面も板金で形成されているため、プリンタの着脱を繰返すことにより部品が削れてしまうことがなく、プリンタの着脱の繰返しに適している。
【発明を実施するための最良の形態】
【００１０】
以下、本発明を実施するための最良の一形態について図面を参照して説明する。
【００１１】
図１は、一体型の商品販売データ処理装置、本実施の形態ではＰＯＳ端末２０１を示す斜視図である。一体型のＰＯＳ端末２０１は、手前右側にキーボード２０２、手前左側に紙幣置き２０３、奥右側にオペレータ用と客面用とのそれぞれのディスプレイ２０４ａ，２０４ｂ、奥左側にプリンタ２０５が配置されて構成されている。
【００１２】
図２は、ＰＯＳ端末２０１の分解斜視図である。ＰＯＳ端末２０１は、本体フレーム２０６に各部が支持されて構成されている。つまり、本体フレーム２０６は、扁平形状のフレーム構造体であり、先端側の高さを他の部分の高さよりも低くする第２の段部２０７を有する。このような本体フレーム２０６には、コントロールボックスフレーム１０７が収納されている。そして、キーボード２０２及び紙幣置き２０３はキーボードユニット２０８として一体化され、第２の段部２０７の上面部分に固定される。奥右側にオペレータ用と客面用とのそれぞれのディスプレイ２０４ａ，２０４ｂは、ディスプレイユニット２０９として一体化され、本体フレーム２０６の第２の段部２０７ではない部分の上面に固定される。そして、プリンタ２０５はプリンタユニット２１０として構成され、本体フレーム２０６の第２の段部２０７ではない部分の上面であって、ディスプレイユニット２０９の隣接位置に固定される。さらに、本体フレーム２０６の正面と背面と両側面とは、これらの正面と背面と両側面とに着脱自在に取り付けられる４個の化粧カバー２１１によってそれぞれ覆われている。
【００１３】
図３は、キーボードユニット２０８とディスプレイユニット２０９とプリンタユニット２１０とを支持する本体フレーム２０６に対して、コントロールボックスフレーム１０７を装着する状態を示す分解斜視図である。図４は、その側面図である。コントロールボックスフレーム１０７は、本体フレーム２０６の第２の段部２０７に段部１０９を位置付けるようにして本体フレーム２０６の後部より装着される。コントロールボックスフレーム１０７は、本体フレーム２０６に対して引き出し自在である。
【００１４】
図５は、コントロールボックスフレーム１０７が装着された本体フレーム２０６に対して、キーボードユニット２０８とフロントの化粧カバー２１１とを取り付ける状態を示す側面図である。図５に示すように、本体フレーム２０６にコントロールボックスフレーム１０７を装着させたなら、キーボードユニット２０８及び前面の化粧カバー２１１を本体フレーム２０６に取り付け、さらに、図５には図示しないが両側面の化粧カバー２１１を本体フレーム２０６に取り付け、一体型のＰＯＳ端末２０１が完成する。
【００１５】
図６は、完成した一体型のＰＯＳ端末２０１を示す側面図である。
【００１６】
なお、図３〜図５中、本体フレーム２０６に対して電子機器が全く装着されていない状態のコントロールボックスフレーム１０７が装着される状態が示されているが、実際の製造時には、本体フレーム２０６に対して各種電子機器（周知の構成であるため、その詳細は省略する）の全部又は一部が装着された状態のコントロールボックスフレーム１０７が装着されることになる。
【００１７】
以上の説明から明らかなように、本実施形態の一体型のＰＯＳ端末２０１は、ユニット化された各部品を組み合わせて構成されている。
【００１８】
次に、プリンタ２０５の取付け構造について詳細に説明する。
【００１９】
図７は、プリンタ２０５を取り外した状態のＰＯＳ端末２０１の斜視図である。プリンタ２０５を取り外した状態では、ＰＯＳ端末２０１の上面左奥に、プリンタ２０５を着脱自在に取り付ける取付面３０１が設けられている。
【００２０】
この取付面３０１は、図８に示す取付板３０２の上面であるので、図８を参照して取付板３０２の構造について説明する。この取付板３０２は、板金を折り曲げて形成されており、両側部の前後には、複数、この例で４つの鉤状の引掛部３１１が設けられている。この各引掛部３１１は、折り曲げられてベース板３１２より立ち上げて設けられ、先端部がすべて水平方向の一方向、この例ではＰＯＳ端末２０１の前面側方向を向いている。
【００２１】
取付板３０２の後端の両側部には、ベース板３１２より幾分高い位置にプリンタ２０５を支持する一対の台座３１３が設けられている。
【００２２】
また、取付板３０２の前方中央部には、台座３１３と同じ高さにプリンタ２０５を支持するプリンタベース板３１４が設けられている。プリンタベース板３１４上には、ハーフカットによりプリンタ２０５に向かって上に延出している凸部３１５がこの例で２つ形成されている。
【００２３】
図９は、プリンタ２０５の斜視図であり、図１０は、プリンタ２０５の底板３２１の平面の斜視図、図１１は、底板３２１の底面の斜視図である。
【００２４】
底板３２１は、板金を折り曲げて形成されている。両側部の前後には、複数、この例で４つの孔３２２が板金を貫通して形成されている。孔３２２は第１の孔を実施するものである。また、底板３２１の前端部には、この例で２つの孔３２３板金を貫通して形成されている。孔３２３は第２の孔を実施するものである。
【００２５】
取付面３０１に底板３２１を置いた場合には、４つの引掛部３１１と４つの孔３２２の位置はそれぞれ合っており、また、２つの凸部３１５と２つの孔３２３の位置もそれぞれ合っている。
【００２６】
次に、以上のような構成のプリンタ２０５の取付け構造により取付面３０１にプリンタ２０５を取り付ける作業について説明する。なお、図１２、図１３においては、プリンタ２０５を底板３２１のみで示している。
【００２７】
まず、図１２に示すように、４つの引掛部３１１と４つの孔３２２の位置をそれぞれ合わせて、プリンタ２０５（底板３２１）を取付面３０１に下ろし（矢印ａ方向）、各引掛部３１１を各孔３２２内に差し込む。
【００２８】
そして、プリンタ２０５（底板３２１）をＰＯＳ端末２０１の後方に向かって水平に移動させることにより（矢印ｂ方向）、先端部がＰＯＳ端末２０１の前方を向いている各引掛部３１１の鉤形形状に各孔３２２が係合するので、プリンタ２０５は上方に引いても、後方に引いても、側方に引いても外れることがなくなり、プリンタ２０５は、台座３１３とプリンタベース板３１４との上に支持され、容易にＰＯＳ端末２０１に固定される。
【００２９】
また、この状態では、２つの凸部３１５はそれぞれ孔３２３に係合しているので、プリンタ２０５を先端部がＰＯＳ端末２０１の前方に向かって引いても容易には取り外すことができない。
【００３０】
ベース板３１２を折り曲げて形成されているため、ベース板３１２に一端が支持されているプリンタベース板３１４は、幾分上下に撓むような弾性力を有している。また、凸部３１５はごく浅い。そのため、プリンタ２０５を後方から少し強めに叩くことにより、プリンタベース板３１４が下方に幾分撓み、凸部３１５と孔３２３の係合が外れ、プリンタ２０５をＰＯＳ端末２０１から取り外すことができる。
【００３１】
さらに、取付板３０２、底板３２１とも板金を折り曲げて構成しているため、プリンタ２０５の着脱を繰返しても部品は容易に削れてしまうことがなく、本実施形態のＰＯＳ端末２０１は着脱の繰返しに適している。
【００３２】
図１４は、図７のＡ−Ａ切断拡大断面図である。図１４に示すように、プリンタ２０５を装着した状態では、プリンタベース板３１４の前端部分は、キーボード２０２の上カバー３３１と下カバー３３２との間に位置し、これにより、キーボード２０２とプリンタ２０５との間には大きな隙間ができないようにしている。そのため、図１５に示すように、まず、キーボード２０２を手前に引いて取り外して後、プリンタ２０５を取り外す必要がある。
【００３３】
なお、本実施形態では、取付板３０２に引掛部３１１、凸部３１５を設け、底板３２１に孔３２２，３２３を設けているが、底板３２１に引掛部３１１、凸部３１５を設け、取付板３０２に孔３２２，３２３を設けるようにしてもよい。
【図面の簡単な説明】
【００３４】
【図１】本発明の一実施形態である一体型のＰＯＳ端末を示す斜視図である。
【図２】その分解斜視図である。
【図３】キーボードユニットとディスプレイユニットとプリンタユニットとを支持する本体フレームに対して、コントロールボックスフレームを装着する状態を示す分解斜視図である。
【図４】キーボードユニットとディスプレイユニットとプリンタユニットとを支持する本体フレームに対して、コントロールボックスフレームを装着する状態を示す側面図である。
【図５】コントロールボックスフレームが装着された本体フレームに対して、キーボードユニットと前面の化粧カバーとを取り付ける状態を示す側面図である。
【図６】一体型のＰＯＳ端末を示す側面図である。
【図７】プリンタを取り外した状態のＰＯＳ端末の斜視図である。
【図８】取付板の斜視図である。
【図９】プリンタの斜視図である。
【図１０】プリンタの底板の平面の斜視図である。
【図１１】プリンタの底板の底面の斜視図である。
【図１２】取付板と底板の取付け構造を説明する側面図である。
【図１３】取付板と底板の取付け構造を説明する側面図である。
【図１４】図７におけるＡ−Ａ切断拡大断面図である。
【図１５】キーボードを取り外した状態のＰＯＳ端末の斜視図である。
【符号の説明】
【００３５】
２０１：商品販売データ処理装置、２０５：プリンタ、３０１：取付面、３１１：引掛部、３１５：凸部、３２１：底板、３２２：第１の孔、３２３：第２の孔
【図１】
2006155316.tif 000003
【図２】
2006155316.tif 000004
【図３】
2006155316.tif 000005
【図４】
2006155316.tif 000006
【図５】
2006155316.tif 000007
【図６】
2006155316.tif 000008
【図７】
2006155316.tif 000009
【図８】
2006155316.tif 000010
【図９】
2006155316.tif 000011
【図１０】
2006155316.tif 000012
【図１１】
2006155316.tif 000013
【図１２】
2006155316.tif 000014
【図１３】
2006155316.tif 000015
【図１４】
2006155316.tif 000016
【図１５】
2006155316.tif 000017